(57)【要約】【課題】本発明は、コストが低く、且つ操作に便利である連接装置を提供することを目的とする。【解決手段】本発明に係る連接装置は、自身が回転することによって電子装置のカバー体と本体との開閉に用いられ、回転部及び該回転部の底部から延伸して形成された当接部を備える回転部材と、回転軸及び該回転軸に対向し、且つ回転軸と離間して形成されたストッパー部を備える固定部材と、を備える。回転部は回転軸とストッパー部との間に装着され、回転軸に当接されることにより、回転部材は固定部材に装着され、回転部が回転軸回りに沿って回転し、回転部材が固定部材内で初期位置に位置する際、回転部はストッパー部に垂直であり、また、回転部が回転軸回りに沿って開放方向へ回転して第一位置に達した際、回転部はストッパー部に平行であり、且つ当接部がストッパー部に当接して回転部が開放方向へ引き続き回転することを規制する。【選択図】図１
2012249290.tif 000002
【特許請求の範囲】
【請求項１】
回転によって開放される電子装置に用いられる連接装置において、
前記連接装置は、回転部及び前記回転部の底部から延伸して形成された当接部を備える回転部材と、回転軸及び前記回転軸に対向し、且つ前記回転軸と離間して形成されたストッパー部を備える固定部材と、を備え、
前記回転部が前記回転軸と前記ストッパー部との間に装着されて、前記回転軸に当接されることにより、前記回転部材が前記固定部材に装着され、前記回転部が前記回転軸回りに沿って回転し、前記回転部材が前記固定部材内で初期位置に位置する際、前記回転部は前記ストッパー部に垂直であり、また、前記回転部が前記回転軸回りに沿って開放方向へ回転して第一位置に達した時、前記回転部は前記ストッパー部に平行であり、且つ前記当接部は前記ストッパー部に当接されて前記回転部が前記開放方向へ引き続き回転することを規制することを特徴とする連接装置。
【請求項２】
前記回転部は、２つの円弧形の回転アームを備え、各々の回転アームの外表面の底部には円弧形の第一槽が設けられており、前記回転部材は前記第一槽に対応し且つ前記ストッパー部の両側に位置するガイド部をさらに備え、前記回転部が前記回転軸回りに沿って回転する際、前記ガイド部が前記第一槽内でスライドすることを特徴とする請求項１に記載の連接装置。
【請求項３】
各々の前記回転アームの内表面の底部には前記第一槽の背面に位置する円弧形の第二槽が設けられ、前記回転軸には前記第二槽に対応する突起が形成されており、前記回転部が前記回転軸回りに沿って回転する際、前記回転軸の突起が前記第二槽内でスライドすることを特徴とする請求項２に記載の連接装置。
【請求項４】
前記固定部材は、互いに対向し、且つ平行である２つの側壁及び前記２つの側壁に垂直に連結する連結壁を備え、前記回転軸は、前記２つの側壁の間に垂直に連結されることを特徴とする請求項１から３のいずれか一項に記載の連接装置。
【請求項５】
前記固定部材は、前記２つの側壁及び前記連結壁に垂直に連結する頂壁をさらに備え、
前記回転軸と前記頂壁との間に開口部が形成され、前記ストッパー部は、前記頂壁の前記回転軸に対向する側辺の中央部から前記回転軸に向かって延伸して形成され、前記ガイド部は、前記ストッパー部の両側から下方へ、且つ斜めに延伸して形成されることを特徴とする請求項４に記載の連接装置。
【請求項６】
前記電子装置は、開閉可能なカバー体及び本体を備え、
前記回転部材は、前記カバー体に取り付けられ、前記固定部材は、前記本体に取り付けられることを特徴とする請求項１から５のいずれか一項に記載の連接装置。
【発明の詳細な説明】
【技術分野】
【０００１】
本発明は、連接装置に関し、特に印刷装置やスキャナー上で、原稿を自動的に給紙する自動給紙装置のための連接装置に関するものである。
【背景技術】
【０００２】
通常、印刷装置やスキャナーは、自動給紙装置（ＡＤＦ）を備えている。前記自動給紙装置は、はじめに原稿を自動給紙装置上にセットしておけば、数十枚の原稿を自動的に読み取り、且つ印刷を開始した際に自動的に給紙する。また、前記自動給紙装置の回転軸付近には厚い書物をスキャンするため、また、使用者が手を挟まないために、浮動ヒンジが設置されている。
【０００３】
従来の印刷装置やスキャナーに設置されている前記浮動ヒンジは、通常自動給紙装置から分離されており、且つネジ固定又はリベット固定によって印刷装置或いはスキャナー本体に装着されている。これにより、前記自動給紙装置は上下に移動したり、開閉動作（回転動作）を行ったりする。しかし、これらの浮動ヒンジは、構造が複雑で、コストが高く、且つ操作に不便である。
【発明の概要】
【発明が解決しようとする課題】
【０００４】
以上の問題点に鑑みて、本発明は、コストが低く且つ操作に便利である連接装置を提供することを目的とする。
【課題を解決するための手段】
【０００５】
前記課題を解決するために、本発明に係る連接装置は、自身が回転することによって電子装置のカバー体と本体との開閉に用いられ、回転部及び前記回転部の底部から延伸して形成された当接部を備える回転部材と、回転軸及び該回転軸に対向し、且つ前記回転軸と離間して形成されたストッパー部を備える固定部材と、を備える。前記回転部は前記回転軸と前記ストッパー部との間に装着され、前記回転軸に当接されることにより、前記回転部材は前記固定部材に装着され、前記回転部が前記回転軸回りに沿って回転し、前記回転部材が前記固定部材内で初期位置に位置する際、前記回転部は前記ストッパー部に垂直であり、また、前記回転部が前記回転軸回りに沿って開放方向へ回転して第一位置に達した際、前記回転部は前記ストッパー部に平行であり、且つ前記当接部が前記ストッパー部に当接して前記回転部が前記開放方向へ引き続き回転することを規制する。
【発明の効果】
【０００６】
本発明に係る連接装置は、回転部を回転軸回りに沿って開放方向へ回転させて、前記回転部が第一位置に達した際、前記回転部はストッパー部に平行であり、且つ当接部が前記ストッパー部に当接して回転部が開放方向へ引き続き回転することを規制することで、前記電子装置を開放する。従って、構造が簡単で、コストが低く且つ操作に便利である。
【図面の簡単な説明】
【０００７】
【図１】本発明に係る連接装置の分解図である。
【図２】本発明に係る連接装置の組立図である。
【図３】図２に示した連接装置が閉鎖状態のＩＩＩ−ＩＩＩ線に沿った断面図である。
【図４】図２に示した連接装置が開放状態のＩＩＩ−ＩＩＩ線に沿った断面図である。
【発明を実施するための形態】
【０００８】
以下、図面に基づいて、本発明に係る連接装置について詳細に説明する。
【０００９】
本発明に係る連接装置は、自身が回転することによって、電子装置のカバー体（図示せず）と本体（図示せず）との開閉に用いられる。図１を参照すると、前記連接装置は、回転部材１００及び固定部材２００を備える。前記回転部材１００は、回転部１１０及び前記回転部１１０の底部に形成された当接部１２０を備える。前記固定部材２００は、回転軸２１０と、前記回転軸２１０と対向し、且つ離間して形成されたストッパー部２２０及び該ストッパー部２２０の両側に位置するガイド部２３０と、を備える。図２に示したように、前記回転部１１０は、前記回転軸２１０と前記ストッパー部２２０との間に装着されて、前記回転軸２１０に当接される。これにより、前記回転部材１００は前記固定部材２００内に装着されて、前記回転軸２１０回りに沿って回転することができる。前記回転部材１００は、前記電子装置のカバー体に取り付けられ、前記固定部材２００は、前記電子装置の本体に取り付けられる。
【００１０】
前記回転部１１０は、２つの円弧形の回転アーム１１１を備え、各々の回転アーム１１１の外表面（前記ストッパー部２２０に向かう表面）の底部には、前記ガイド部２３０に対応する円弧形の第一槽１１１１がそれぞれ設けられており、また、各々の前記回転アーム１１１の内表面（前記ストッパー部２２０から離れる表面）の底部には、前記第一槽１１１１の背面に位置する円弧形の第二槽１１１２がそれぞれ設けられている。前記回転軸２１０には、前記第二槽１１１２に対応する突起（図示せず）が形成されている。前記回転部１１０が前記回転軸２１０回りに沿って回転する際、前記ガイド部２３０は前記第一槽１１１１内でスライドし、前記回転軸２１０の突起は前記第二槽１１１２内でスライドする。
【００１１】
前記固定部材２００は、互いに対向し、且つ平行である２つの側壁２４１、２４２と、前記２つの側壁２４１、２４２にそれぞれ垂直に連結する連結壁２４３と、前記２つの側壁２４１、２４２及び前記連結壁２４３にそれぞれ垂直に連結する頂壁２４４と、を備える。前記回転軸２１０は、前記２つの側壁２４１、２４２の間に垂直に連結される。また、前記回転軸２１０と前記頂壁２４４との間（即ち、上述で述べた前記回転軸２１０と前記ストッパー部２２０との間）には開口部２４５が形成され、前記ストッパー部２２０は、前記頂壁２４４の側辺の中央部から前記回転軸２１０に向かって延伸して形成され、前記ガイド部２３０は、前記頂壁２４４の両側から下方へ、且つ斜めに延伸して形成される。
【００１２】
図３は、前記電子装置のカバー体が前記電子装置の本体に結合された閉鎖状態（即ち、回転部材１００が固定部材２００内で初期位置に位置する状態）を示している。前記回転部１１０は前記ストッパー部２２０に垂直であり、また、前記当接部１２０と前記ストッパー部２２０とは分離されている。
【００１３】
図４は、前記カバー体を開放した際に、前記回転部材１００の回転部１１０を前記回転軸２１０回りにおいて反時計回り（当接部１２０がストッパー部２２０の内表面（すなわち側壁２４１、２４２及び連結壁２４３に囲まれる面）に向かう方向である、前記電子装置のカバー体の開放方向）に回転させた時の状態を示す。前記回転部材１００の回転によって前記回転部１１０が第一位置に達した際、前記電子装置のカバー体は前記電子装置の本体に対して完全に開放される。この時、前記回転部１１０は、前記ストッパー部２２０に平行であり、且つ前記当接部１２０が前記ストッパー部２２０に当接されて、前記回転部材１００が引き続き反時計回りに回転することを規制する。
【００１４】
本発明に係る連接装置は、前記回転部１１０を前記回転軸２１０回りに沿って第一方向（当接部１２０がストッパー部２２０の内表面（すなわち側壁２４１、２４２及び連結壁２４３に囲まれる面）に向かう方向である、カバー体の開放方向）へ回転させて、前記回転部１１０が第一位置に達すると、前記回転部１１０は前記ストッパー部２２０に平行であり、且つ前記当接部１２０が前記ストッパー部２２０に当接して前記回転部材１００の回転部１１０が第一方向へ引き続き回転することを規制することで、前記電子装置を開放する。従って、本発明に係る連接装置は、構造が簡単で、コストが低く且つ操作に便利である。
【００１５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１６】
１００  回転部材
１１０  回転部
１１１  回転アーム
１１１１  第一槽
１１１２  第二槽
１２０  当接部
２００  固定部材
２１０  回転軸
２２０  ストッパー部
２３０  ガイド部
２４１、２４２  側壁
２４３  連結壁
２４４  頂壁
２４５  開口部
【図１】
2012249290.tif 000003
【図２】
2012249290.tif 000004
【図３】
2012249290.tif 000005
【図４】
2012249290.tif 000006